【手続補正書】
【提出日】平成22年9月8日(2010.9.8)
【手続補正１】
【補正対象書類名】明細書
【補正対象項目名】０００５
【補正方法】変更
【補正の内容】
【０００５】
前記課題を解決するために請求項１記載の発明に係る閃光装置にあっては、電源と、この電源から充電されて電荷を蓄積する複数の蓄積手段と、この複数の蓄積手段のいずれかに蓄積された電荷を用いて発光する発光手段と、前記複数の蓄積手段のいずれかに対する充電中に、この充電中の蓄積手段が満充電に達する前の段階で、他の蓄積手段への充電に切り換える充電制御手段とを備えることを特徴とする。
【手続補正２】
【補正対象書類名】明細書
【補正対象項目名】０００６
【補正方法】変更
【補正の内容】
【０００６】
また、請求項２記載の発明に係る閃光装置にあっては、前記充電制御手段は、充電中の蓄積手段の充電量が所定充電量に達したときに、他の蓄積手段への充電に切り換えることを特徴とする。
【手続補正３】
【補正対象書類名】明細書
【補正対象項目名】０００７
【補正方法】変更
【補正の内容】
【０００７】
また、請求項３記載の発明に係る閃光装置にあっては、前記充電制御手段は、他の蓄積手段への充電の切り換えを判断するための前記所定充電量を、撮影状態に応じて複数の充電量の中から選択することを特徴とする。
【手続補正４】
【補正対象書類名】明細書
【補正対象項目名】０００８
【補正方法】変更
【補正の内容】
【０００８】
また、請求項４記載の発明に係る閃光装置にあっては、前記充電制御手段は、過去の撮影における発光量または発光頻度に応じて前記所定充電量を選択することを特徴とする。
【手続補正５】
【補正対象書類名】明細書
【補正対象項目名】０００９
【補正方法】変更
【補正の内容】
【０００９】
また、請求項５記載の発明に係る閃光装置にあっては、前記充電制御手段は、過去の撮影における発光量が大きいほど、前記所定充電量を大きくすることを特徴とする。
【手続補正６】
【補正対象書類名】明細書
【補正対象項目名】００１０
【補正方法】変更
【補正の内容】
【００１０】
また、請求項６記載の発明に係る閃光装置にあっては、前記充電制御手段は、過去の撮影における発光頻度が多いほど、前記所定充電量を小さくすることを特徴とする。
【手続補正７】
【補正対象書類名】明細書
【補正対象項目名】００１１
【補正方法】変更
【補正の内容】
【００１１】
また、請求項７記載の発明に係る閃光装置にあっては、前記充電制御手段は、過去の撮影における発光量と発光頻度との組み合わせに応じて前記所定充電量を選択することを特徴とする。
【手続補正８】
【補正対象書類名】明細書
【補正対象項目名】００１２
【補正方法】変更
【補正の内容】
【００１２】
また、請求項８記載の発明に係る閃光装置にあっては、前記充電制御手段は、他の蓄積手段への充電の切り換えを判断するための前記所定充電量を、撮影状態および他の蓄積手段の充電量に応じて複数の充電量の中から選択することを特徴とする。
【手続補正９】
【補正対象書類名】明細書
【補正対象項目名】００１３
【補正方法】変更
【補正の内容】
【００１３】
また、請求項９記載の発明に係る閃光装置にあっては、前記充電制御手段は、いずれかの蓄積手段が満充電に達する前の段階で、充電対象となる蓄積手段の切り換えを複数回実行することを特徴とする。
【手続補正１０】
【補正対象書類名】明細書
【補正対象項目名】００１４
【補正方法】変更
【補正の内容】
【００１４】
また、請求項１０記載の発明に係る閃光装置にあっては、前記充電制御手段は、前記複数の蓄積手段に交互に充電する方法と、前記複数の蓄積手段に同時に充電する方法とを選択可能であることを特徴とする。
【手続補正１１】
【補正対象書類名】明細書
【補正対象項目名】００１５
【補正方法】変更
【補正の内容】
【００１５】
また、請求項１１記載の発明に係る閃光装置にあっては、前記所定充電量は、前記発光手段が発光可能な充電量であることを特徴とする。
【手続補正１２】
【補正対象書類名】明細書
【補正対象項目名】００１６
【補正方法】変更
【補正の内容】
【００１６】
また、請求項１２記載の発明に係る閃光装置にあっては、前記所定充電量は、前記発光手段が所定時間以内に発光可能な最低限度の充電量であることを特徴とする。
【手続補正１３】
【補正対象書類名】明細書
【補正対象項目名】００１７
【補正方法】変更
【補正の内容】
【００１７】
また、請求項１３記載の発明に係る閃光装置にあっては、前記所定充電量は、前記発光手段が所定の明るさで発光可能な最低限度の充電量であることを特徴とする。
【手続補正１４】
【補正対象書類名】明細書
【補正対象項目名】００１８
【補正方法】変更
【補正の内容】
【００１８】
また、請求項１４記載の発明に係る閃光装置にあっては、前記充電制御手段は、所定以下の電流値で充電を行うように制御することを特徴とする。
【手続補正１５】
【補正対象書類名】明細書
【補正対象項目名】００１９
【補正方法】変更
【補正の内容】
【００１９】
また、請求項１５記載の発明に係る充電制御プログラムにあっては、電源と、この電源から充電されて電荷を蓄積する複数の蓄積手段と、この複数の蓄積手段のいずれかに蓄積された電荷を用いて発光する発光手段とを備える閃光装置が有するコンピュータを、前記複数の蓄積手段のいずれかに対する充電中に、この充電中の蓄積手段が満充電に達する前の段階で、他の蓄積手段への充電に切り換える充電制御手段として機能させることを特徴とする。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】特許請求の範囲
【補正対象項目名】全文
【補正方法】変更
【補正の内容】
【特許請求の範囲】
【請求項１】
電源と、
この電源から充電されて電荷を蓄積する複数の蓄積手段と、
この複数の蓄積手段のいずれかに蓄積された電荷を用いて発光する発光手段と、
前記複数の蓄積手段のいずれかに対する充電中に、この充電中の蓄積手段が満充電に達する前の段階で、他の蓄積手段への充電に切り換える充電制御手段と
を備えることを特徴とする閃光装置。
【請求項２】
前記充電制御手段は、充電中の蓄積手段の充電量が所定充電量に達したときに、他の蓄積手段への充電に切り換えることを特徴とする請求項１記載の閃光装置。
【請求項３】
前記充電制御手段は、他の蓄積手段への充電の切り換えを判断するための前記所定充電量を、撮影状態に応じて複数の充電量の中から選択することを特徴とする請求項２記載の閃光装置。
【請求項４】
前記充電制御手段は、過去の撮影における発光量または発光頻度に応じて前記所定充電量を選択することを特徴とする請求項３記載の閃光装置。
【請求項５】
前記充電制御手段は、過去の撮影における発光量が大きいほど、前記所定充電量を大きくすることを特徴とする請求項４記載の閃光装置。
【請求項６】
前記充電制御手段は、過去の撮影における発光頻度が多いほど、前記所定充電量を小さくすることを特徴とする請求項４記載の閃光装置。
【請求項７】
前記充電制御手段は、過去の撮影における発光量と発光頻度との組み合わせに応じて前記所定充電量を選択することを特徴とする請求項３記載の閃光装置。
【請求項８】
前記充電制御手段は、他の蓄積手段への充電の切り換えを判断するための前記所定充電量を、撮影状態および他の蓄積手段の充電量に応じて複数の充電量の中から選択することを特徴とする請求項２記載の閃光装置。
【請求項９】
前記充電制御手段は、いずれかの蓄積手段が満充電に達する前の段階で、充電対象となる蓄積手段の切り換えを複数回実行することを特徴とする請求項２記載の閃光装置。
【請求項１０】
前記充電制御手段は、前記複数の蓄積手段に交互に充電する方法と、前記複数の蓄積手段に同時に充電する方法とを選択可能であることを特徴とする請求項１乃至９のいずれか１項に記載の閃光装置。
【請求項１１】
前記所定充電量は、前記発光手段が発光可能な充電量であることを特徴とする請求項１乃至９のいずれか１項に記載の閃光装置。
【請求項１２】
前記所定充電量は、前記発光手段が所定時間以内に発光可能な最低限度の充電量であることを特徴とする請求項１１記載の閃光装置。
【請求項１３】
前記所定充電量は、前記発光手段が所定の明るさで発光可能な最低限度の充電量であることを特徴とする請求項１１記載の閃光装置。
【請求項１４】
前記充電制御手段は、所定以下の電流値で充電を行うように制御することを特徴とする請求項１乃至１３のいずれか１項に記載の閃光装置。
【請求項１５】
電源と、この電源から充電されて電荷を蓄積する複数の蓄積手段と、この複数の蓄積手段のいずれかに蓄積された電荷を用いて発光する発光手段とを備える閃光装置が有するコンピュータを、
前記複数の蓄積手段のいずれかに対する充電中に、この充電中の蓄積手段が満充電に達する前の段階で、他の蓄積手段への充電に切り換える充電制御手段として機能させることを特徴とする充電制御プログラム。